(57)【要約】      （修正有）【課題】容易に肩ベルトから取り外すことができるよだれカバーを提供する。【解決手段】ベビーキャリアの肩ベルトに取り付けるよだれカバー１であって、肩ベルトに巻き付けられる円状のカバー部２と、カバー部２の両端部を結合する結合部３と、を備える。また、結合部３は、カバー部２の一方端部２ａに設けられた第一結合部４と、カバー部２の一方端部２ａとは反対側の他方端部２ｂから延びる帯状の引出部５と、引出部５に設けられて第一結合部４に結合される第二結合部６と、を備える。【選択図】図１
0003200835.tif 000002
【実用新案登録請求の範囲】
【請求項１】
ベビーキャリアの肩ベルトに取り付けるよだれカバーであって、
前記肩ベルトに巻き付けられる円状のカバー部と、
前記カバー部の両端部を着脱可能に結合する結合部と、を備える、
よだれカバー。
【請求項２】
前記結合部は、
前記カバー部の一方端部に設けられた第一結合部と、
前記カバー部の前記一方端部とは反対側の他方端部から延びる帯状の引出部と、
前記引出部に設けられて前記第一結合部に着脱可能に結合される第二結合部と、を備える、
請求項１に記載のよだれカバー。
【請求項３】
前記引出部は、前記カバー部の裏面の、前記カバー部の周縁から離れた位置から延びている、
請求項２に記載のよだれカバー。
【請求項４】
前記結合部は、面ファスナーにより構成される、
請求項１〜３の何れか一項に記載のよだれカバー。
【考案の詳細な説明】
【技術分野】
【０００１】
本考案は、ベビーキャリアの肩ベルトに取り付けるよだれカバーに関する。
【背景技術】
【０００２】
乳幼児を抱いたりおんぶしたりするために、抱っこ紐やおんぶ紐などのベビーキャリアが用いられている（例えば、特許文献１参照）。ベビーキャリアは、主に、乳幼児を保持する本体部と、本体部を保持して装着者の肩に掛けられる肩ベルトと、を備える。
【先行技術文献】
【特許文献】
【０００３】
【特許文献１】特開２０１４−０１８６５８号公報
【考案の概要】
【考案が解決しようとする課題】
【０００４】
ところで、ベビーキャリアに乳幼児を保持すると、乳幼児の顔の近くに肩ベルトが配置されるため、乳幼児のよだれで肩ベルトが汚れてしまう。そこで、肩ベルトによだれカバーを取り付けることで、乳幼児のよだれ対策を行っている。
【０００５】
よだれカバーとしては、一般的にレッグウォーマーやアームバンド等を流用した筒状のものが用いられている。しかしながら、筒状のよだれカバーは、肩ベルトを本体部から取り外さないと、肩ベルトに対して脱着することができない。
【０００６】
そこで、肩ベルトに対して脱着可能な脱着式のよだれカバーが市販されている。このよだれカバーは、矩形に形成されており、その対向する一対の辺部に面ファスナーが取り付けられている。そして、肩ベルトによだれカバーを巻き付け、一対の面ファスナーを結合することで、肩ベルトによだれカバーを装着できるようになっている。
【０００７】
しかしながら、矩形に形成された従来のよだれカバーは、肩ベルトに装着した際によだれカバーの角部が垂れ下がらないように、辺部の全域にわたって面ファスナーが取り付けられている。このため、面ファスナーの結合面積が大きくなって、面ファスナーの結合強度が高くなる。その結果、肩ベルトからよだれカバーを外す際に、面ファスナーを引き剥がすのに強い力が必要になるという問題がある。
【０００８】
そこで、本考案は、容易に肩ベルトから取り外すことができるよだれカバーを提供することを目的とする。
【課題を解決するための手段】
【０００９】
本考案に係るよだれカバーは、ベビーキャリアの肩ベルトに取り付けるよだれカバーであって、肩ベルトに巻き付けられる円状のカバー部と、カバー部の両端部を着脱可能に結合する結合部と、を備える。
【００１０】
本考案に係るよだれカバーでは、肩ベルトにカバー部を巻き付け、カバー部の両端部を結合部で結合することで、よだれカバーを肩ベルトに装着することができる。そして、円形のカバー部は、両端部を結合するだけでも垂れ下がりにくいため、カバー部が矩形である場合に比べて、結合面積を小さくすることができる。これにより、第一結合部及び第二結合部の結合強度を小さく抑えることができるため、容易に肩ベルトから取り外すことができる。しかも、カバー部が円形であるため、乳幼児に対する当たりを柔らかくすることができるとともに、乳幼児の目に入りにくくすることができる。
【００１１】
結合部は、カバー部の一方端部に設けられた第一結合部と、カバー部の一方端部とは反対側の他方端部から延びる帯状の引出部と、引出部に設けられて第一結合部に着脱可能に結合される第二結合部と、を備えてもよい。このよだれカバーでは、第一結合部と第二結合部とを結合することで、カバー部の両端部を結合することができる。そして、第二結合部が、カバー部から延びる帯状の引出部に設けられているため、カバー部が小さくても、つまり、カバー部の肩ベルトに対する巻き込み量が小さくても、第一結合部と第二結合部とを結合することができる。これにより、カバー部の小径化を図ることができる。
【００１２】
引出部は、カバー部の裏面の、カバー部の周縁から離れた位置から延びていてもよい。このよだれカバーでは、引出部が、カバー部の裏面の、カバー部の周縁から離れた位置から延びているため、引出部で肩ベルトを回り込ませた際に、カバー部の一方端部の周縁を、肩ベルトから突出させることができる。これにより、肩ベルトの表側から、肩ベルトの裏側に配置される部分を隠すことができるため、デザイン性を向上することができる。
【００１３】
結合部は、面ファスナーにより構成されてもよい。このよだれカバーでは、結合部が面ファスナーにより構成されるため、容易に脱着することができる。
【考案の効果】
【００１４】
本考案によれば、容易に肩ベルトから取り外すことができる。
【図面の簡単な説明】
【００１５】
【図１】実施形態のよだれカバーの正面図である。
【図２】実施形態のよだれカバーの背面図である。
【図３】肩ベルトに装着した実施形態のよだれカバーの正面図である。
【図４】肩ベルトに装着した実施形態のよだれカバーの背面図である。
【図５】肩ベルトに装着した実施形態のよだれカバーの平面図である。
【図６】変形例のよだれカバーを示す図である。
【図７】変形例のよだれカバーを示す図である。
【図８】比較例のよだれカバーの正面図である。
【図９】肩ベルトに装着した比較例のよだれカバーの正面図である。
【考案を実施するための形態】
【００１６】
以下、図面を参照して、本考案に係るよだれカバーの好適な実施形態について詳細に説明する。なお、図面中の同一又は相当部分には同一符号を付すこととする。
【００１７】
図１は、実施形態のよだれカバーの正面図である。図２は、実施形態のよだれカバーの背面図である。図３は、肩ベルトに装着した実施形態のよだれカバーの正面図である。図４は、肩ベルトに装着した実施形態のよだれカバーの背面図である。図５は、肩ベルトに装着した実施形態のよだれカバーの平面図である。図１〜図５に示すように、本実施形態のよだれカバー１は、乳幼児を保持するベビーキャリアの肩ベルト１０に装着されて、肩ベルト１０が乳幼児のよだれで汚れるのを防止するものである。よだれカバー１は、カバー部２と、結合部３と、を備える。
【００１８】
カバー部２は、肩ベルト１０に巻かれることで、肩ベルト１０が乳幼児のよだれで汚れるのを防止する部位である。カバー部２は、布などの軟らかい素材により、円形に形成されている。本明細書において円形とは、真円、楕円等の広義の円形をいう。カバー部２の構成は、特に限定されるものではないが、例えば、円形の複数枚の布が重ね合わされた布部２１と、布部２１の解れを防止するために布部２１の周端部を留める周端部２２と、を備える。なお、図１及び図２以外では、分かり易くするために、布部２１と周端部２２とを区別せずに図示する。
【００１９】
結合部３は、カバー部２の両端部を結合する部位である。結合部３は、第一結合部４と、引出部５と、第二結合部６と、を備える。
【００２０】
第一結合部４と第二結合部６とは、互いに着脱可能に結合される部位である。第一結合部４は、カバー部２の一方端部２ａに設けられており、第二結合部６は、引出部５を介して間接的にカバー部２の他方端部２ｂに設けられている。
【００２１】
カバー部２の一方端部２ａとは、カバー部２を半円に分割した場合の、一方の半円の円弧中央部をいう。カバー部２の他方端部２ｂとは、第一結合部４が取り付けられるカバー部２の一方端部２ａとは反対側の端部である。ここで、二つの半円に折り曲げられたカバー部２のうち、引出部５が取り付けられる側の半円を、表側半円部２ｃとし、第一結合部４が取り付けられる側の半円を、裏側半円部２ｄとする。なお、よだれカバー１を肩ベルト１０に装着した際の表側半円部２ｃと裏側半円部２ｄとの境界線は、カバー部２の中心点よりも裏側半円部２ｄ側にずれた位置となる。
【００２２】
第一結合部４及び第二結合部６の結合方法としては、例えば、面ファスナーによる結合、ボタン留め、ホック留め、等を採用することができる。なお、本実施形態では、第一結合部４及び第二結合部６は面ファスナーにより着脱可能に結合されるものとし、例えば、第一結合部４としてはメス型の面ファスナー、第二結合部６としてはオス型の面ファスナーを用いることができる。
【００２３】
具体的に説明すると、第一結合部４は、カバー部２の表面２ｅに取り付けられている。カバー部２の表面２ｅとは、よだれカバー１が肩ベルト１０に装着された際に、表側となる面、つまり、肩ベルト１０の反対側に向けられる面をいう。また、第一結合部４は、カバー部２の周縁２ｇから離れた位置、具体的には、布部２１の周端部２２近傍に取り付けられている。カバー部２に対する第一結合部４の取り付けは、例えば、縫い付け、接着等により行うことができる。
【００２４】
引出部５は、カバー部２の他方端部２ｂから延びる帯状の部材である。引出部５は、カバー部２の裏面２ｆに取り付けられている。カバー部２の裏面２ｆとは、よだれカバー１が肩ベルト１０に装着された際に、裏側となる面、つまり、肩ベルト１０側に向けられる面である。また、引出部５は、カバー部２の周縁２ｇから離れた位置、具体的には、布部２１の周端部２２近傍に取り付けられている。カバー部２に対する引出部５の取り付けは、例えば、縫い付け、接着等により行うことができる。
【００２５】
第二結合部６は、引出部５の先端部に取り付けられている。これにより、第二結合部６は、引出部５を介して、間接的に、カバー部２の裏面２ｆの、カバー部２の他方端部２ｂの、カバー部２の周縁２ｇから離れた位置（布部２１の周端部２２近傍）に取り付けられている。また、第二結合部６は、引出部５の表裏面のうち、引出部５を第一結合部４とは反対側に延ばした際に（図１及び図２の状態）カバー部２の裏面２ｆ側となる面に、取り付けられている。引出部５に対する第二結合部６の取り付けは、例えば、縫い付け、接着等により行うことができる。
【００２６】
次に、肩ベルト１０に対するよだれカバー１の脱着方法について説明する。
【００２７】
肩ベルト１０によだれカバー１に装着する際は、まず、カバー部２を二つの半円に折り曲げて、肩ベルト１０に巻き付ける。具体的には、一方の半円の円弧中央部に引出部５の取り付け位置が配置されるとともに、他方の半円の円弧中心部に第一結合部４が配置されるように、カバー部２を二つの半円に折り曲げる。そして、表側半円部２ｃが肩ベルト１０の表側１０ａに配置されるとともに、裏側半円部２ｄが肩ベルト１０の裏側１０ｂに配置されるように、カバー部２を肩ベルト１０に巻き付ける。肩ベルト１０の表側１０ａとは、装着者がベビーキャリアを装着した際の、肩ベルト１０の装着者とは反対側をいう。肩ベルト１０の裏側１０ｂとは、装着者がベビーキャリアを装着した際の、肩ベルト１０の装着者側をいう。
【００２８】
そして、引出部５を、肩ベルト１０の表側１０ａから裏側１０ｂに回り込ませて、結合部３の第一結合部４と第二結合部６とを結合する。これにより、肩ベルト１０に対するよだれカバー１の装着が完了する。
【００２９】
肩ベルト１０からよだれカバー１を取り外す際は、引出部５を引っ張り、第一結合部４から第二結合部６を引き剥がす。これにより、肩ベルト１０からよだれカバー１が取り外される。
【００３０】
ここで、図８及び図９を参照して、カバー部が矩形に形成された比較例のよだれカバーについて説明する。
【００３１】
図８は、比較例のよだれカバーの正面図である。図９は、肩ベルトに装着した比較例のよだれカバーの正面図である。図８及び図９に示すように、比較例のよだれカバー１０１は、カバー部１０２が矩形に形成されている。また、カバー部１０２の表面１０２ｅの一方辺部１０２ａに、第一結合部１０４が設けられており、カバー部１０２の裏面１０２ｇの他方辺部１０２ｂに、第一結合部１０４に結合される第二結合部１０６が設けられている。そして、よだれカバー１０１を肩ベルト１０に装着した際に、カバー部１０２の角部が垂れ下がらないように、第一結合部１０４及び第二結合部１０６は、カバー部１０２の一方辺部１０２ａ及び他方辺部１０２ｂの全域にわたって設けられている。
【００３２】
このため、比較例のよだれカバー１０１では、第一結合部１０４及び第二結合部１０６の結合面積が大きくなって、第一結合部１０４及び第二結合部１０６の結合強度が高くなる。その結果、肩ベルト１０からよだれカバー１０１を外す際に、第一結合部１０４及び第二結合部１０６を引き剥がすのに強い力が必要になる。
【００３３】
これに対し、本考案に係るよだれカバー１では、カバー部２は、角部のない円状であるため、両端部を結合するだけでも垂れ下がりにくい。このため、比較例のよだれカバー１０１と比べて、第一結合部４及び第二結合部６の結合面積を小さく抑えることができる。これにより、第一結合部４及び第二結合部６の結合強度を小さく抑えることができるため、容易に肩ベルト１０から取り外すことができる。しかも、カバー部２が円形であるため、装着時に、乳幼児に対する当たりを柔らかくすることができるとともに、乳幼児の目に入りにくくすることができる。
【００３４】
また、このよだれカバー１では、第二結合部６が、カバー部２から延びる帯状の引出部５に設けられているため、カバー部２が小さくても、つまり、カバー部２の肩ベルト１０に対する巻き込み量が小さくても、第一結合部４と第二結合部６とを結合することができる。これにより、カバー部２の小径化を図ることができる。
【００３５】
また、このよだれカバー１では、引出部５が、カバー部２の裏面２ｆの、カバー部２の周縁２ｇから離れた位置から延びているため、引出部５で肩ベルト１０を回り込ませた際に、カバー部２の一方端部２ａの周縁２ｇを、肩ベルト１０から突出させることができる。これにより、肩ベルト１０の表側１０ａから、肩ベルト１０の裏側１０ｂに配置される裏側半円部２ｄを隠すことができるため、デザイン性を向上することができる。
【００３６】
また、このよだれカバー１では、第一結合部４及び第二結合部６が面ファスナーで構成されるため、容易に脱着することができる。
【００３７】
以上、本考案の好適な実施形態について説明したが、本考案は上記実施形態に限定されるものではない。
【００３８】
例えば、上記実施形態では、第二結合部６は、帯状の引出部５を介して間接的にカバー部２の裏面２ｆに設けられるものとして説明したが、図６に示す変形例のように、第二結合部６は、引出部を用いることなく、カバー部２の裏面２ｆに直接的に設けられてもよい。
【００３９】
図６は、変形例のよだれカバーを示す図であり、（ａ）は図１に対応する平面図、（ｂ）は図４に対応する背面図である。図６の（ａ）に示すように、変形例のよだれカバー１Ａは、カバー部２の裏面２ｆに第二結合部６が設けられている。図６の（ｂ）に示すように、よだれカバー１Ａを肩ベルト１０に装着する際は、カバー部２の表側半円部２ｃのうち、第一結合部４が設けられている先端部２ｈを、肩ベルト１０の裏側１０ｂに回り込ませる。そして、結合部３の第一結合部４と第二結合部６とを結合させる。これにより、上記実施形態と同様の効果を奏することができる。
【００４０】
また、上記実施形態では、第一結合部４及び第二結合部６は、面ファスナーにより結合されるものとして説明したが、図７に示す変形例のように、ボタン留め等の他の締結部により結合されるものとしてもよい。
【００４１】
図７は、変形例のよだれカバーを示す図であり、（ａ）は図１に対応する平面図、（ｂ）は図４に対応する背面図である。図７の（ａ）に示すように、変形例のよだれカバー１Ｂでは、第一結合部として、カバー部２に設けられたボタン４Ｂが設けられており、第二結合部として、引出部５に形成されたボタンホール６Ｂが設けられている。図７の（ｂ）に示すように、よだれカバー１Ｂを肩ベルト１０に装着する際は、肩ベルト１０にカバー部２を巻き付け、引出部５を、肩ベルト１０の表側１０ａから裏側１０ｂに回り込ませて、ボタンホール６Ｂにボタン４Ｂを留める。これにより、上記実施形態と同様の効果を奏することができる。
【符号の説明】
【００４２】
１…カバー、１Ａ…カバー、１Ｂ…カバー、２…カバー部、２ａ…一方端部、２ｂ…他方端部、２ｃ…表側半円部、２ｄ…裏側半円部、２ｅ…表面、２ｆ…裏面、２ｇ…周縁、２ｈ…先端部、３…結合部、４…第一結合部、４Ｂ…ボタン、５…引出部、６…第二結合部、６Ｂ…ボタンホール、１０…肩ベルト、１０ａ…表側、１０ｂ…裏側、２１…布部、２２…周端部、１０１…カバー、１０２…カバー部、１０２ａ…一方辺部、１０２ｂ…他方辺部、１０２ｅ…表面、１０２ｇ…裏面、１０４…第一結合部、１０６…第二結合部。
【図１】
0003200835.tif 000003
【図２】
0003200835.tif 000004
【図３】
0003200835.tif 000005
【図４】
0003200835.tif 000006
【図５】
0003200835.tif 000007
【図６】
0003200835.tif 000008
【図７】
0003200835.tif 000009
【図８】
0003200835.tif 000010
【図９】
0003200835.tif 000011